(57)【要約】      （修正有）【課題】ドリンクホルダー本体に対するクリップ取付具の取付作業が簡単で、しかも、強度的に優れたドリンクホルダーを提供する。【解決手段】ドリンクホルダー本体１２は、底板１８と、天板２０と、底板１８および天板２０の間に配置されて両者を連結一体化し、ドリンクホルダー本体１２の周囲に沿って一定の間隔で立設された少なくとも３本以上の支柱２２とを備えており、支柱２２と天板２０との接続部分には、その外径が支柱２２の太径部よりも一段細くなった細径部が形成されており、クリップ取付具１４のドリンクホルダー本体１２への取付部となる取付片には、細径部に嵌め込まれる左右一対の嵌合切欠部が、隣り合う支柱２２，２２と同じ間隔で形成されており、嵌合切欠部が細径部に嵌め込まれた状態で、取付片と天板２０とが支柱２２，２２間において一箇所でネジ固定されていることを特徴とする。【選択図】図１
2015077944.tif 000002
【特許請求の範囲】
【請求項１】
飲料容器や携帯端末などの物品を収容するドリンクホルダー本体と、前記ドリンクホルダー本体に着脱可能に設けられたクリップ取付具と、前記クリップ取付具に取り付けられ、前記ドリンクホルダー本体および前記クリップ取付具の一体物をエアコン吹出口のルーバーに取り付けるクリップとを備えるドリンクホルダーであって、
前記ドリンクホルダー本体は、底板と、天板と、前記底板および前記天板の間に配置されて両者を連結一体化し、前記ドリンクホルダー本体の周囲に沿って一定の間隔で立設された少なくとも３本以上の支柱とを備えており、
前記支柱と前記天板との接続部分には、その外径が前記支柱の太径部よりも一段細くなった細径部が形成されており、
前記クリップ取付具の前記ドリンクホルダー本体への取付部となる取付片には、前記細径部に嵌め込まれる左右一対の嵌合切欠部が、前記隣り合う支柱と同じ間隔で形成されており、
前記嵌合切欠部が前記細径部に嵌め込まれた状態で、前記取付片と前記天板とが前記支柱間において一箇所でネジ固定されていることを特徴とするドリンクホルダー。
【請求項２】
前記取付片は、その厚みが、前記支柱の太径部と前記天板との間の隙間と大略等しく設定されており、
前記嵌合切欠部の溝幅は、前記支柱の細径部の外径と大略等しく或いはやや大きく設定されており、
前記左右一対の嵌合切欠部のそれぞれに前記支柱の細径部を挿入することによって前記クリップ取付具の取付片が前記２本の支柱と前記天板とで挟持されることを特徴とする請求項１に記載のドリンクホルダー。
【発明の詳細な説明】
【技術分野】
【０００１】
本発明は、自動車のエアコン吹出口のルーバーに装着可能なドリンクホルダーに関する。
【背景技術】
【０００２】
自動車のエアコン吹出口のルーバーに装着可能なドリンクホルダーとして、今日では種々のものが上市されており、その一例として、飲料容器の他に、携帯端末やタバコなどの物品も保持できるようにしたドリンクホルダーが知られている（非特許文献１参照）。
【０００３】
この従来のドリンクホルダー１について、図８〜図９を参照しつつ簡単に説明すると、ドリンクホルダー１は、ドリンクホルダー本体２と、クリップ取付具３と、クリップ４とで大略構成されている。
【０００４】
ドリンクホルダー本体２は、底板５、天板６および複数（この従来例では５本）の支柱７を備え、底板５と天板６とを支柱７で連結一体化することによって横長矩形の箱状部材として構成されている。
【０００５】
天板６には、飲料容器を挿入するための円形状の飲料容器挿入用孔６ａと、タバコや携帯端末などの物品を挿入するための横長矩形状の物品挿入用孔６ｂとがドリンクホルダー本体２の長手方向に左右に並んで形成されている。この従来例では、ドリンクホルダー本体２の長手方向に沿って延びる２個の物品挿入用孔６ｂが短手方向（前後方向）に並んで形成されている。
【０００６】
ドリンクホルダー本体２の天板６には、クリップ取付具３が左右二箇所、ネジ８によって着脱可能に取り付けられている。
【０００７】
クリップ取付具３は、クリップ４をドリンクホルダー本体２に取り付けるための部材で、その前端部左右両側には、上下両面に連通するネジ挿通用孔３ａが形成されている。各ネジ挿通用孔３ａには、図９に示すように、ネジ８がその下面側から挿通され、その挿通端部を天板６のネジ孔６ｃに螺合することによって、クリップ取付具３が天板６に固定される。
【０００８】
クリップ取付具３の背面には、横長のスライド溝３ｂが形成されており、このスライド溝３ｂにクリップ４が取り付けられる。
【０００９】
従来のドリンクホルダー１にあっては、ドリンクホルダー本体２の前面側と背面側の何れか一方にクリップ取付具３を取り付けることが出来るようになっている（図８では、ドリンクホルダー本体２の背面側にクリップ取付具３が取り付けられている）。
【００１０】
したがって、クリップ取付具３の取付位置を適宜選択することによって、飲料容器挿入用孔６ａを運転席側から見て左側或いは右側の何れかの位置に選択的に配置することができる。
【先行技術文献】
【非特許文献】
【００１１】
【非特許文献１】インターネット＜ＵＲＬ：http://www.yacjp.co.jp/accessory/PF-202.html＞
【発明の概要】
【発明が解決しようとする課題】
【００１２】
従来のドリンクホルダー１にあっては、上述したように、クリップ取付具３のドリンクホルダー本体２への固定が、２個のネジ８を用いた二点固定により行われていた。
【００１３】
しかしながら、天板６と底板５との間の隙間を縫って小さなネジ８を二箇所もネジ止めするのは、相当な注意力と細かな作業を必要とする大変な作業である。
【００１４】
また、車両走行時には、ドリンクホルダー１に収容されている飲料容器等の重量と、走行時の振動との相乗効果によってクリップ取付具３に大きな荷重が加わることとなる。
【００１５】
その結果、クリップ取付具３の中央部分（ネジ８とネジ８との間の部分）に撓みが生じてドリンクホルダー本体２との間に隙間が生じたり、キシミ音を生じさせたりするなどの問題もあった。
【００１６】
本発明の目的は、かかる問題を解決するためになされたものであり、ドリンクホルダー本体に対するクリップ取付具の取付作業が簡単で、しかも、強度的に優れたドリンクホルダーを提供することにある。
【課題を解決するための手段】
【００１７】
請求項１に記載した発明は、「飲料容器や携帯端末などの物品を収容するドリンクホルダー本体１２と、ドリンクホルダー本体１２に着脱可能に設けられたクリップ取付具１４と、クリップ取付具１４に取り付けられ、ドリンクホルダー本体１２およびクリップ取付具１４の一体物をエアコン吹出口のルーバーに取り付けるクリップ１６とを備えるドリンクホルダー１０であって、
ドリンクホルダー本体１２は、底板１８と、天板２０と、底板１８および天板２０の間に配置されて両者を連結一体化し、ドリンクホルダー本体１２の周囲に沿って一定の間隔で立設された少なくとも３本以上の支柱２２とを備えており、
支柱２２と天板２０との接続部分には、その外径ｂが支柱２２の太径部２２ａよりも一段細くなった細径部２２ｂが形成されており、
クリップ取付具１４のドリンクホルダー本体１２への取付部となる取付片１４ａには、細径部２２ｂに嵌め込まれる左右一対の嵌合切欠部４０が、隣合う支柱２２，２２と同じ間隔で形成されており、
嵌合切欠部４０が細径部２２ｂに嵌め込まれた状態で、取付片１４ａと天板２０とが支柱２２，２２間において一箇所でネジ固定されている」ことを特徴とするドリンクホルダー１０である。
【００１８】
請求項２に記載した発明は、「取付片１４ａは、その厚みＡが、支柱２２の太径部２２ａと天板２０との間の隙間ａと大略等しく設定されており、
嵌合切欠部４０の溝幅Ｂは、支柱２２の細径部２２ｂの外径ｂと大略等しく或いはやや大きく設定されており、
左右一対の嵌合切欠部４０のそれぞれに支柱２２の細径部２２ｂを挿入することによってクリップ取付具１４の取付片１４ａが２本の支柱２２，２２と天板２０とで挟持される」ことを特徴とするドリンクホルダー１０である。
【発明の効果】
【００１９】
本発明のドリンクホルダー１０において、嵌合切欠部４０が支柱２２の細径部２２ｂに嵌め込まれるように、クリップ取付具１４の取付片１４ａを隣合う支柱２２，２２間に挿入することにより、取付片１４ａが支柱２２の大径部分と天板２０とで挟持されて二点固定される。この状態で、支柱２２，２２間にてクリップ取付具１４とドリンクホルダー本体１２とを１箇所ネジ止めすることで、クリップ取付具１４とドリンクホルダー本体１２とのより強固な三点固定が形成される。
【００２０】
しかも、支柱２２，２２間でネジ止めすることにより、クリップ取付具１４の中央部分におけるドリンクホルダー本体１２との固定強度が向上する。したがって、ドリンクホルダー本体１２とクリップ取付具１４の中央部分との間に隙間が生じたり、キシミ音を生じさせるようなこともない。
【００２１】
このように、本願発明のドリンクホルダー１０によれば、ドリンクホルダー本体１２に対するクリップ取付具１４の取り付けが、１箇所ネジ止めするだけで、より強固な三点固定とすることができるので、従来に比べて取付作業が簡単でありながら、取付強度に優れたドリンクホルダー１０を提供できる。
【図面の簡単な説明】
【００２２】
【図１】この発明に係るドリンクホルダー１０を示す斜視図である。
【図２】ドリンクホルダー１０の平面図である。
【図３】ドリンクホルダー１０の側面図である。
【図４】ドリンクホルダー１０の底面図である。
【図５】ドリンクホルダー１０の背面図である。
【図６】クリップ取付具１４をドリンクホルダー本体１２に取り付ける方法を示す図である。
【図７】クリップ取付具１４の取付状態を示す部分分解斜視図である。
【図８】従来のドリンクホルダー１を示す図である。
【図９】従来のドリンクホルダー１におけるドリンクホルダー本体２に対するクリップ取付具３の取付状態を示す図である。
【発明を実施するための形態】
【００２３】
以下、本発明を図面に従って説明する。図１は、本発明にかかるドリンクホルダー１０を示す斜視図であり、図２はドリンクホルダー１０の平面図であり、図３はドリンクホルダー１０の側面図であり、図４はドリンクホルダー１０の底面図であり、図５はドリンクホルダー１０の背面図である。
【００２４】
これらの図が示すように、本発明のドリンクホルダー１０は、ドリンクホルダー本体１２、クリップ取付具１４およびクリップ１６により大略構成されている。
【００２５】
ドリンクホルダー本体１２は、底板１８、天板２０および４本の支柱２２により構成されている。
【００２６】
底板１８は、縦長矩形の板状部材で、その前端部（長手方向一方端部）には、左右方向（短手方向）に延びる凹所２４が形成されている。凹所２４は、スマートフォンなどの携帯端末が嵌り込むような大きさに設定されており、その中央部分には、携帯端末用の充電ケーブルを挿通するためのケーブル挿通用孔２４ａが形成されている。
【００２７】
底板１８の下面には、左右一対のガイド溝２６が後端部、左側および右側の合計３箇所形成されており、３つのガイド溝２６の何れか１つのガイド溝２６（本実施例では、後端部のガイド溝２６）にスペーサー２８が前後方向にて且つ一定間隔で係脱可能にてスライド可能に取り付けられている（図４参照）。
【００２８】
底板１８の上面には、４本の支柱２２が、ドリンクホルダー本体１２の周囲に沿って一定の間隔で立設されており、これら支柱２２に天板２０が取り付けられている。なお、本実施例では、底板１８と各支柱２２とが射出成型による一体物として形成されている。
【００２９】
各支柱２２は、太径の太径部２２ａと、細径の細径部２２ｂとを有する。太径部２２ａは、その外径が下端部から上方に向かうにしたがって僅かに縮径しており、その上端部に細径部２２ｂが形成されている。
【００３０】
隣合う支柱２２，２２間の間隔は、後述するクリップ取付具１４の取付片１４ａに形成された左右一対の嵌合切欠部４０間の間隔と一致するように設定されている。これにより、クリップ取付具１４をドリンクホルダー１０の左右両側ならびに後側の任意の位置に取り付けることができる。
【００３１】
支柱２２の上端部（より詳しく言えば、細径部２２ｂの上端部）には、天板２０が取り付けられている。
【００３２】
なお、本実施例では、各支柱２２が天板２０にネジ２７によって固定されており、これにより、底板１８と天板２０と各支柱２２とが連結一体化されることになる。
【００３３】
天板２０は、底板１８よりも一回り小さな縦長矩形の板状部材で、その前端部には、短手方向に伸びる細長矩形の携帯端末挿入孔３０が形成されている。なお、携帯端末挿入孔３０と上述した底板１８の凹所２４とで、携帯端末を収容保持する「携帯端末収容保持部」として機能することとなる。
【００３４】
携帯端末挿入孔３０の後側の内側面には、クッション３２が取り付けられている。クッション３２は、走行時の振動によって携帯端末収容保持部に収容保持されている携帯端末に傷が付いたり、カタカタという異音を生じさせることがないよう保護するためのものであり、本実施例ではゴムによって形成されている。
【００３５】
天板２０における携帯端末挿入孔３０の後部には、矩形状の飲料容器収容孔３４が形成されている。なお、飲料容器収容孔３４と底板１８とで、飲料容器を収容保持する「飲料容器収容保持部」として機能することとなる。
【００３６】
飲料容器収容孔３４の前端部には、大小２個のスペーサー３６，３８が取り付けられている。
【００３７】
小径用スペーサー３６は、飲料容器収容孔３４に収容された小径の飲料容器Ｘ（図２参照）との間に生じた隙間を埋めるための薄板状部材であり、その先端部分が小径飲料容器Ｘの外周面に応じて凹湾曲して形成されている。したがって、飲料容器収容孔３４内に小径の飲料容器Ｘを収容した状態では、小径用スペーサー３６の先端が小径飲料容器Ｘの側面に当接して、車両の走行に伴う振動による小径飲料容器Ｘの動きを規制することができる。
【００３８】
小径用スペーサー３６は、図示しないトーションばねの弾発力によって先端側が上方に回動するように天板２０における飲料容器収容孔３４の前端部に取り付けられている。したがって、飲料容器収容孔３４内に大径飲料容器Ｙを挿入した時には、大径飲料容器Ｙに接触した小径用スペーサー３６の先端が大径飲料容器Ｙに押し下げられて下方に回動することにより大径飲料容器Ｙを収容することができる。
【００３９】
大径用スペーサー３８は、飲料容器収容孔３４に収容された大径の飲料容器Ｙとの間に生じた隙間を埋めるための薄板状部材であり、その先端部分が大径飲料容器Ｙの外周面に応じて凹湾曲して形成されている。したがって、飲料容器収容孔３４内に大径の飲料容器Ｙを収容した状態では、大径用スペーサー３８の先端が大径飲料容器Ｙの側面に当接して、大径飲料容器Ｙの動きを規制することができる。
【００４０】
大径用スペーサー３８も、小径用スペーサー３６と同様、図示しないトーションばねの弾発力によって先端側が上方に回動するように天板２０における飲料容器収容孔３４の前端部に取り付けられている。したがって、飲料容器収容孔３４内に大径飲料容器Ｙよりも大型の角型紙パックＺを挿入した場合には、角型紙パックＺに接触した大径用スペーサー３８の先端と小径用スペーサー３６の先端とが角型紙パックＺに押し下げられて下方に回動することにより角型紙パックＺを収容することができる。
【００４１】
ドリンクホルダー本体１２には、クリップ取付具１４が着脱可能に取り付けられる。
【００４２】
クリップ取付具１４は、後述するクリップ１６をドリンクホルダー本体１２に取り付けるための部材で、ドリンクホルダー本体１２への取付部となる板状の取付片１４ａと、取付片１４ａの後端部にて取付片１４ａと一体的に形成されたブロック状のクリップ取付部１４ｂとを有する。
【００４３】
取付片１４ａの左右両側（幅方向両側端部）には、補強用のリブ１４ｃが、後述する嵌合切欠部４０の左右両側にて、嵌合切欠部４０を挟むようにそれぞれ形成されている。リブ１４ｃ間の幅は、支柱２２の太径部２２ａの直径と大略等しく或いはやや大き目に設定されている。
【００４４】
取付片１４ａの厚みＡは、太径部２２ａと天板２０との間の隙間ａ（細径部２２ｂの露出部分の高さ）と略等しく設定されている。
【００４５】
取付片１４ａの左右両側には、嵌合切欠部４０がそれぞれ形成されており、左右一対の嵌合切欠部４０，４０の間（取付片１４ａの前端部中央部分）には、固定ネジ挿通用孔４２が形成されている。
【００４６】
左右の嵌合切欠部４０，４０間の間隔は、隣合う支柱２２，２２間の間隔と略等しく設定されている。また、各嵌合切欠部４０の溝幅Ｂは、支柱２２の細径部２２ｂの外径ｂと大略等しく或いはやや大き目に設定されている（図６および図７参照）。
【００４７】
クリップ取付部１４ｂの背部には、横長のスライド溝４４が形成されており（図５参照）、このスライド溝４４に後述するクリップ１６の取付基部１６ａが着脱可能に取り付けられる。
【００４８】
クリップ１６は、取付基部１６ａと、取付基部１６ａから二股に分かれたクリップ部１６ｂとで一体的に構成されており（図３および図４参照）、クリップ部１６ｂをエアコン吹き出し口のルーバーに挟みこむことによってドリンクホルダー１０をエアコンの吹き出し口に固定できるようになっている。
【００４９】
クリップ取付具１４をドリンクホルダー本体１２に取り付ける際には、図６〜図７に示すように、支柱２２の細径部２２ｂが、クリップ取付具１４の左右の嵌合切欠部４０に嵌り込むように、クリップ取付具１４の取付片１４ａを支柱２２と支柱２２の間に挿入する。
【００５０】
ドリンクホルダー本体１２におけるクリップ取付具１４の取付箇所は、ドリンクホルダー本体１２の背部と左右両側面部の３箇所があり、本実施例では、ドリンクホルダー本体１２の背部（図２の実線で示した箇所）にクリップ取付具１４を取り付けるものとする。
【００５１】
そして、別途用意した固定ネジ４６の先端をクリップ取付具１４の固定ネジ挿通用孔４２に挿入し、その先端を天板２０の底面に形成されたネジ孔（図示省略）に螺着する。これにより、クリップ取付具１４がドリンクホルダー本体１２に取り付けられる。
【００５２】
この実施例にかかるドリンクホルダー１０によれば、支柱２２の細径部２２ｂが嵌合切欠部４０に嵌め込まれた状態となるようにクリップ取付具１４の取付片１４ａを隣合う支柱２２，２２間に挿入することで、クリップ取付具１４の取付片１４ａが支柱２２の太径部２２ａと天板２０とで挟持され、二点固定が形成される。
【００５３】
そして、この状態で、支柱２２，２２間にてクリップ取付具１４の取付片１４ａとドリンクホルダー本体１２とを一箇所ネジ止めすることにより、クリップ取付具１４とドリンクホルダー本体１２との三点固定が形成される。
【００５４】
このように、本実施例にかかるドリンクホルダー１０によれば、ドリンクホルダー本体１２に対するクリップ取付具１４の取り付けが、一箇所ネジ止めするだけで三点固定とすることができるので、従来に比べて取付作業が簡単でありながら、取付強度に優れたドリンクホルダー１０を提供できる。
【００５５】
しかも、支柱２２，２２間でネジ止めすることにより、クリップ取付具１４の中央部分におけるドリンクホルダー本体１２との固定強度が向上する。したがって、ドリンクホルダー本体１２とクリップ取付具１４の中央部分との間に隙間が生じたり、キシミ音を生じさせるようなこともない。
【符号の説明】
【００５６】
１０：ドリンクホルダー、１２：ドリンクホルダー本体、１４：クリップ取付具、１４ａ：取付片、１４ｂ：クリップ取付部、１４ｃ：リブ、１６：クリップ、１６ａ：取付基部、１６ｂ：クリップ部、１８：底板、２０:天板、２２：支柱、２２ａ：太径部、２２ｂ：細径部、２４：凹所、２４ａ:ケーブル挿通用孔、２６:ガイド溝、２７：ネジ、２８：スペーサー、３０：携帯端末挿入孔、３２：クッション、３４：飲料容器収容孔、３６：小径用スペーサー、３８：大径用スペーサー、４０：嵌合切欠部、４２：固定ネジ挿通用孔、４４：スライド溝、４６：固定ネジ、Ａ：取付片１４ａの厚み、ａ：太径部２２ａと天板２０との間の隙間、Ｂ：嵌合切欠部４０の溝幅、ｂ：細径部２２ｂの外径、Ｘ：小径飲料容器、Ｙ：大径飲料容器、Ｚ：角型紙パック
【図１】
2015077944.tif 000003
【図２】
2015077944.tif 000004
【図３】
2015077944.tif 000005
【図４】
2015077944.tif 000006
【図５】
2015077944.tif 000007
【図６】
2015077944.tif 000008
【図７】
2015077944.tif 000009
【図８】
2015077944.tif 000010
【図９】
2015077944.tif 000011